(57)【要約】【課題】外気中のゴミや埃等を除去するフィルタの取り外し時の作業性をよくする。【解決手段】取り込まれる外気に含まれるゴミや埃を除去するための前フィルタ３８および後フィルタ３９を、取り外しおよび取り付けが容易なゴミ受容器２７に装着するようにしている。したがって、フィルタの取り外し時には、前方に露出しているゴミ受容器２７を外気取り入れ室２６から前方に引き抜けばよく、作業性よくフィルタを取り外すことができる。また、加熱室内のゴミをゴミ収納室４３で受けることができるので、ゴミ受容器２７を水洗いすることによって、加熱室内のゴミと共に前フィルタ３８および後フィルタ３９を洗浄することができる。【選択図】図４
2012215321.tif 000002
【特許請求の範囲】
【請求項１】
本体ケーシングと、
上記本体ケーシング内に配置され、被加熱物を加熱するための加熱室と、
上記本体ケーシングの前面側に配置され、上記加熱室の開口部を開閉する扉と、
上記本体ケーシングの下側に設けられ、前面の開口部から外気を取り入れて上記本体ケーシング内に送出する外気取り入れ室と、
上記本体ケーシングの下面における上記扉との境界部に着脱可能に設置され、上記加熱室内のゴミを受けるゴミ受容器と、
を備え、
上記ゴミ受容器は、
上記外気取り入れ室の上記前面に着脱可能に取り付けるための取付部と、
前壁および後壁に設けられると共に、外気を取り入れて上記外気取り入れ室の上記開口部に送出するための開口部と、
上記前壁と上記後壁との間における上記外気の通路に装着されるフィルタと
を含んでいる
ことを特徴とする加熱調理器。
【請求項２】
請求項１に記載の加熱調理器において、
上記ゴミ受容器の上記後壁は、上記加熱室の上記開口端よりも後側に位置している
ことを特徴とする加熱調理器。
【請求項３】
請求項１あるいは請求項２に記載の加熱調理器において、
上記ゴミ受容器の上記前壁は、上記扉の前面と略同じ位置に位置している
ことを特徴とする加熱調理器。
【請求項４】
請求項１から請求項３までの何れか一つに記載の加熱調理器において、
上記取付部は、上記ゴミ受容器における上記本体ケーシングの下面に対する位置を決める位置決め部を含んでいる
ことを特徴とする加熱調理器。
【発明の詳細な説明】
【技術分野】
【０００１】
この発明は、外気を取り入れることができる加熱調理器に関する。
【背景技術】
【０００２】
外気を取り入れることができる加熱調理器として、特開２００５‐２７３９３５号公報(特許文献１)に開示されているようなレンジフード付き高周波加熱装置がある。この高周波加熱装置は、他の調理機器(下方調理機器)の上部に設置されて、上記下方調理機器から発生した油や蒸気を含んだ生成ガスを、内蔵する循環ファンの動作によって本体底面部の吸気開口部から吸い込み、本体前面上部の排気開口部から排出する。
【０００３】
その際に、純度の高い吸気風を本体機器内部に取り込むことを可能にするため、上記吸気開口部に、不純物の透過率を大幅に抑えることが可能な汚れ防止フィルターを備えている。こうして、上記下方調理機器から発生した油や蒸気を含んだ生成ガスが上記汚れ防止フィルターを通過する際に上記不純物成分が取り除かれて、純度の高い吸気風を本体機器内部に取り込むようにしている。
【０００４】
しかしながら、上記従来の特許文献１に開示されたレンジフード付き高周波加熱装置においては、以下のような問題がある。
【０００５】
すなわち、上記吸気開口部からの効率のよい吸気を行うためには、上記汚れ防止フィルターを定期的に掃除する必要がある。ところが、上記レンジフード付き高周波加熱装置の場合には、上記汚れ防止フィルターは、本体底面部の吸気開口部に設置されている。したがって、上記汚れ防止フィルターを取り外す場合には、下側から本体底面部の上記吸気開口部から手を入れて、上記汚れ防止フィルターを引き出す必要がある。その場合、下部には上記下方調理機器が設置された調理台が存在し、しかも本レンジフード付き高周波加熱装置は上記調理台の後方上部に配置されているため、上記汚れ防止フィルターを取り外す際には、作業者は上記調理台の上に身を乗り出し、且つ手を伸ばして作業を行うことになり、非常に作業性が悪いという問題がある。
【０００６】
また、従来の電子レンジにおいても、電装部品等を冷却する外気を取り込むための吸気口が本体底面に設けられている。このような電子レンジに、上記特許文献１に開示されたレンジフード付き高周波加熱装置における上記汚れ防止フィルターを適用した場合には、上記電子レンジの底面と上記電子レンジの設置台との間が狭く、フィルターの取り外し時の作業性が、上記レンジフード付き高周波加熱装置以上に悪くなるという問題がある。
【０００７】
特に、業務用電子レンジにおいては、業務用であるがために、週に１回や２周に１回等の頻度で定期的にフィルターは掃除を行う必要がある。その際に、ドアの開閉時等に振動によって上記フィルターにガタツキや外れが生じないように、上記フィルターは爪やだぼ等によって固定されている。そのため、フィルターの取り外し時の作業性がさらに悪くなる。特に、コンビニ等では、電子レンジを用いた暖め等の作業をアルバイトやパートの人が行うので、上記フィルターの取り外し作業を行う人が短期間に変わるため取り外し作業になかなか慣れず、作業性の悪さがそのままロス時間となって表れるという問題がある。
【先行技術文献】
【特許文献】
【０００８】
【特許文献１】特開２００５‐２７３９３５号公報
【発明の概要】
【発明が解決しようとする課題】
【０００９】
そこで、この発明の課題は、外気中に含まれるゴミや埃等を除去するフィルタの取り外し時の作業性がよい加熱調理器を提供することにある。
【課題を解決するための手段】
【００１０】
上記課題を解決するため、この発明の加熱調理器は、
本体ケーシングと、
上記本体ケーシング内に配置され、被加熱物を加熱するための加熱室と、
上記本体ケーシングの前面側に配置され、上記加熱室の開口部を開閉する扉と、
上記本体ケーシングの下側に設けられ、前面の開口部から外気を取り入れて上記本体ケーシング内に送出する外気取り入れ室と、
上記本体ケーシングの下面における上記扉との境界部に着脱可能に設置され、上記加熱室内のゴミを受けるゴミ受容器と、
を備え、
上記ゴミ受容器は、
上記外気取り入れ室の上記前面に着脱可能に取り付けるための取付部と、
前壁および後壁に設けられると共に、外気を取り入れて上記外気取り入れ室の上記開口部に送出するための開口部と、
上記前壁と上記後壁との間における上記外気の通路に装着されるフィルタと
を含んでいる
ことを特徴としている。
【００１１】
上記構成によれば、加熱室内のゴミを受けるゴミ受容器が、本体ケーシングの下面における扉との境界部に設置されている。したがって、上記本体ケーシング内に配置された上記加熱室の底面から前方に掃き出されるゴミを、こぼすことなくゴミ受容器に収容することができる。
【００１２】
また、本体ケーシングの下側に設けられた外気取り入れ室に取り込まれる外気のゴミや埃を除去するフィルタが、上記ゴミ受容器に装着されている。したがって、上記ゴミ受容器を上記外気取り入れ室から取り外して水等で丸洗いすることによって、上記フィルタを上記加熱室内のゴミと共に、簡単に洗浄することができる。
【００１３】
その際に、上記ゴミ受容器は、取付部によって、上記外気取り入れ室の前面に着脱可能に取り付けられている。したがって、前方から容易に上記ゴミ受容器を取り外すことができ、上記フィルタの取り外しを作業性よく行うことができる。
【００１４】
また、１実施の形態の加熱調理器では、
上記ゴミ受容器の上記後壁は、上記加熱室の上記開口端よりも後側に位置している。
【００１５】
この実施の形態によれば、上記加熱室の上記開口端が上記ゴミ受容器の上記後壁よりも前側に位置している。したがって、上記開口端から掃き出される上記加熱室内のゴミを、確実に上記ゴミ受容器で受けることができる。
【００１６】
また、１実施の形態の加熱調理器では、
上記ゴミ受容器の上記前壁は、上記扉の前面と略同じ位置に位置している。
【００１７】
この実施の形態によれば、上記ゴミ受容器の上記前壁は上記扉の前面と略同じ位置に位置しているので、上記ゴミ受容器をさらに作業性良く上記外気取り入れ室から取り外すことができる。したがって、上記フィルタの洗浄性をさらに向上させることができる。
【００１８】
また、１実施の形態の加熱調理器では、
上記取付部は、上記ゴミ受容器における上記本体ケーシングの下面に対する位置を決める位置決め部を含んでいる。
【００１９】
この実施の形態によれば、上記取付部の上記外気取り入れ室の前面に対する位置が上記ゴミ受容器の陰になって見えない手探り状態で上記ゴミ受容器を上記外気取り入れ室の前面に装着する場合であっても、上記位置決め部によって、上記ゴミ受容器が上記本体ケーシングの下面に対する所定の位置に位置決めされる。
【発明の効果】
【００２０】
以上より明らかなように、この発明の加熱調理器は、加熱室内のゴミを受けるゴミ受容器を、本体ケーシングの下面における扉との境界部に設置している。したがって、上記加熱室の底面から前方に掃き出されるゴミを、こぼすことなくゴミ受容器に収容することができる。
【００２１】
また、本体ケーシングの下側に設けられた外気取り入れ室に取り込まれる外気のゴミや埃を除去するフィルタを、上記ゴミ受容器に装着している。したがって、上記ゴミ受容器を上記外気取り入れ室から取り外して水等で丸洗いすることによって、上記フィルタを上記加熱室内のゴミと共に簡単に洗浄することができる。
【００２２】
その際に、上記ゴミ受容器は、取付部によって、上記外気取り入れ室の前面に着脱可能に取り付けられている。したがって、前方から容易に上記ゴミ受容器を取り外すことができ、上記フィルタの取り外しを作業性よく行うことができる。
【図面の簡単な説明】
【００２３】
【図１】この発明の加熱調理器における前方から見た外観図である。
【図２】図１におけるＡ‐Ａ'矢視断面図である。
【図３】図１におけるＢ‐Ｂ'矢視断面図である。
【図４】図２における外気取り入れ室の前部およびゴミ受容器の拡大断面図である。
【図５】外気取り入れ室への外気の流入経路を示す図である。
【図６】フック構造によるゴミ受容器の取付構造を示す図である。
【図７】弾性構造によるゴミ受容器の取付構造を示す図である。
【図８】開閉構造によるゴミ受容器の取付構造を示す図である。
【図９】正規の位置へ簡単に着脱可能なゴミ受容器の取付構造を示す図である。
【発明を実施するための形態】
【００２４】
以下、この発明を図示の実施の形態により詳細に説明する。
【００２５】
図１は、本実施の形態の加熱調理器における前方から見た外観図である。本加熱調理器１は、本体ケーシングとしての直方体形状のキャビネット２の正面の上部に操作キー部３を設置し、キャビネット２の正面における操作キー部３の下側には、左端側の辺を中心に回動して、加熱室(図２参照)を開閉する扉４を設けて概略構成されている。そして、扉４の右部にはハンドル５が設けられ、扉４には耐熱ガラス製の窓６が嵌め込まれている。さらに、操作キー部３における図中左側には液晶表示部７が設けられており、操作キー部３のキーを操作することによって、制御部８の制御の下に、操作に応じた内容が液晶表示部７に表示される。
【００２６】
図２は、図１におけるＡ‐Ａ'矢視断面図である。また、図３は、図１におけるＢ‐Ｂ'矢視断面図である。図２および図３において、キャビネット２内には加熱室１０が設置されており、キャビネット２内における加熱室１０の下部にはマグネトロン１１が配置されている。そして、マグネトロン１１で発生されたマイクロ波は、導波管１２によって加熱室１０の下部中央に導かれ、アンテナモータ１３によって駆動される回転アンテナ１４によって回転されながら加熱室１０内の上方に向かって放射され、トレイ(図示せず)上の被加熱物を加熱するようになっている。
【００２７】
尚、本加熱調理器１においては、特に加熱構造を特定するものではない。上記マイクロ波による加熱に替えて、加熱ヒータや過熱蒸気等によって被加熱物を加熱する加熱構造であっても一向に構わない。
【００２８】
上記キャビネット２内における加熱室１０の下方には、冷却ファン１５,導波管１２,マグネトロン１１を配した外気流入ダクト１６が設けられている。外気流入ダクト１６の下面における冷却ファン１５の位置には外気流入口１７が設けられ、冷却ファン１５の駆動によって外気流入口１７から外気流入ダクト１６内に外気が取り込まれる。
【００２９】
図３において、上記加熱室１０の右側壁には給気口１８および排気口１９が設けられており、給気口１８は給気ダンパ２０によって開閉される。外気流入ダクト１６内における給気口１８に面した位置には給気ファン２１が配されている。排気口１９は、キャビネット２の上面に開口部２２を有する排気ダクト２３に連通している。排気ダクト２３には、湿度センサ２４および温度センサ２５が設けられている。
【００３０】
上記構成において、上記冷却ファン１５の回転によって、外気流入口１７を介して、外気流入ダクト１６内に外気が流入する。外気流入ダクト１６内に流入した外気はマグネトロン１１,アンテナモータ１３,制御部８を含む電装部品,給気ファン２１等を冷却して昇温され、給気ファン２１によって給気口１８から加熱室１０に供給される。また、給気口１８からの給気によって加熱室１０内の空気は排気口１９を介して排気ダクト２３に流入し、天面の開口部２２から外部に放出される。その際に、排気ダクト２３内を流れる加熱室１０内の空気の湿度を湿度センサ２４で検知することによって、加熱調理の終了が判断される。さらに、排気ダクト２３内を流れる加熱室１０内の空気の温度を温度センサ２５で検知することによって、異常加熱が判断される。
【００３１】
上記キャビネット２における外気流入ダクト１６の下側には、キャビネット２の脚部としても機能する筺体でなる外気取り入れ室２６が設けられている。ここで、図２に示すように、外気取り入れ室２６の前面は、加熱室１０の前面(開口部)よりも後方に位置している。そして、外気取り入れ室２６の前面には、広幅の筺体をなすゴミ受容器２７の後面が取り付けられる。
【００３２】
図４は、図２における外気取り入れ室２６の前部およびゴミ受容器２７の拡大断面図を示す。図４において、ゴミ受容器２７内の前部と後部には、ゴミ受容器２７内の前側を全幅に亘って仕切る前仕切板２８とゴミ受容器２７内の後側を全幅に亘って仕切る後仕切板２９とが設けられている。また、ゴミ受容器２７の前板３０には、図１にも示すように、複数の矩形を有する第１開口部３１が設けられ、前仕切板２８にも第１開口部３１に対向する位置に第２開口部３２が設けられている。同様に、ゴミ受容器２７の後板３３には、複数の矩形を有する第３開口部３４が設けられ、後仕切板２９にも第３開口部３４に対向する位置に第４開口部３５が設けられている。さらに、外気取り入れ室２６の前壁３６にも、第３開口部３４に対向して開口部３７が設けられている。
【００３３】
上記ゴミ受容器２７内における前仕切板２８で仕切られた前仕切空間内には前フィルタ３８が挿入される一方、後仕切板２９で仕切られた後仕切空間内には後フィルタ３９が挿入される。また、ゴミ受容器２７の後板３３には複数本のだぼ４０が設けられ、外気取り入れ室２６の前壁３６には、ゴミ受容器２７のだぼ４０が圧入されるだぼ穴４１が設けられている。すなわち、上記取付部をだぼ４０で構成するのである。
【００３４】
上記構成を有するゴミ受容器２７は、上記前仕切空間内に前フィルタ３８を挿入する一方、上記後仕切空間内に後フィルタ３９を挿入した後に、ゴミ受容器２７のだぼ４０を外気取り入れ室２６のだぼ穴４１に圧入することによって、外気取り入れ室２６の前壁３６に取り付けられる。その結果、外気取り入れ室２６は、開口部３７,第３開口部３４,第４開口部３５,第２開口部３２および第１開口部３１を介して、外部と連通されることになる。したがって、冷却ファン１５を回転することにより、図５に矢印４２で示すように、ゴミ受容器２７,外気取り入れ室２６および外気流入口１７を介して、外気流入ダクト１６内に外気が取り込まれるのである。
【００３５】
その際に、外気の流入経路中に、前フィルタ３８および後フィルタ３９が設置されている。したがって、外気に含まれるゴミや埃を前フィルタ３８および後フィルタ３９で除去することができ、加熱室１０内で暖められる食品にゴミや埃が付着するのを防止できるのである。
【００３６】
また、上記加熱室１０内のゴミを受けるゴミ受容器２７が、キャビネット２の下面における扉４との境界部に設置されている。したがって、キャビネット２内に配置された加熱室１０の底面から前方に掃き出されるゴミを、こぼすことなくゴミ受容器２７に収容することができる。
【００３７】
その際に、上述したように、上記外気取り入れ室２６の前壁３６は、加熱室１０の前面よりも後方に位置している。つまり、ゴミ受容器２７の後板３３は、加熱室１０の前面よりも後方に位置している。その結果、加熱室１０の前面(つまり、開口端)は、ゴミ受容器２７における前仕切板２８と後仕切板２９との間の空間でなるゴミ収納室４３の上方に位置することになり、加熱室１０内から掃き出されたゴミをゴミ収納室４３に確実に受けることが可能になる。
【００３８】
また、図４に示すように、上記ゴミ受容器２７の前面は、扉４の前面と略同位置に配置されている。こうすることによって、ゴミ受容器２７を取り外すことなく前フィルタ３８を簡易掃除することが可能になる。また、使用者は、前方に露出しているゴミ受容器２７を前方から簡単に取り外すことができ、ゴミ受容器２７を掃除する際の取り外しおよび取り付けが容易になる。また、本加熱調理器を前方から見た場合の美観をよくすることができる。
【００３９】
上述したように、本実施の形態においては、取り込まれる外気に含まれるゴミや埃を除去するための前フィルタ３８および後フィルタ３９を、取り外しおよび取り付けが容易なゴミ受容器２７に装着するようにしている。したがって、フィルタの取り外し時には、前方に露出しているゴミ受容器２７を外気取り入れ室２６から前方に引き抜けばよく、作業性よくフィルタを取り外すことができる。また、加熱室１０内のゴミをゴミ収納室４３で受けることができるので、ゴミ受容器２７を水洗いをすることによって、加熱室１０内のゴミと共に前フィルタ３８および後フィルタ３９を洗浄することができる。
【００４０】
上記実施の形態においては、この発明に係るゴミ受容器一体型のフィルタを、上記マイクロ波による加熱をおこなう加熱調理器に適用している。しかしながら、上記過熱蒸気等によって被加熱物を加熱する加熱調理器に適用することも可能である。その場合には、扉４の内面や加熱室１０の壁面に結露水が発生する。ところが、ゴミ受容器２７は、ゴミ収納室４３の底部が閉じているため露受けとして機能することができる。したがって、ゴミ受容器２７を露受けとして用いることができる。尚、その場合には、少なくとも第２開口部３２および第４開口部３５の下端の位置をゴミ収納室４３内に溜まった結露水が流れ出ない程度に高く設定しておく必要がある。
【００４１】
また、上記実施の形態においては、上記ゴミ受容器２７に、前フィルタ３８と後フィルタ３９との２つのフィルタを装着しているが、前フィルタ３８と後フィルタ３９とのうちの何れか一方のみを装着するようにしても一向に構わない。また、ゴミ受容器２７を露受けとして用いることが無い場合には、フィルタをゴミ収納室４３内に装着するようにしても差し支えない。
【００４２】
また、上記実施の形態においては、上記ゴミ受容器２７に設ける第１開口部３１〜第４開口部３５を、矩形の開口部を一段に配列して構成している。しかしながら、第１開口部３１〜第４開口部３５は上記構成に限定されるものではない。例えば、複数の矩形の開口部を複数段に配列して構成しても良い。また、開口部の形状は矩形でなくとも差し支えない。また、複数のパンチング穴の集合体で構成しても構わない。
【００４３】
尚、上記前フィルタ３８および後フィルタ３９は、エアコンに用いられるプレフィルタ程度以上の空気濾過能力があればよく、樹脂製の網目構造でも充分である。
【００４４】
また、上記ゴミ受容器２７の外気取り入れ室２６の前壁３６への取付構造は、上述のだぼ４０に限定するものではなく、容易に着脱可能な構造であれば他の取付構造であっても差し支えない。以下に、その幾つかを例示する。
【００４５】
図６は、フック構造によるものである。ゴミ受容器２７の後板３３に設けたフック４４を外気取り入れ室２６の前壁３６に設けられたフック孔４５に挿入した後、ゴミ受容器２７を矢印方向(水平方向)にスライドして、フック４４でフック孔４５の周囲の前壁３６を挟持する。すなわち、上記取付部をフック４４で構成するのである。
【００４６】
図７は、弾性構造によるものである。ゴミ受容器２７の後板３３に弾性を有する２本の突出部材４６a,４６bを設け、突出部材４６a,４６bにおける互いに対向する位置に形成された凹部で、突出部材４６a,４６bの弾性を利用して円柱４７を挟持する。ここで、円柱４７は、外気取り入れ室２６の底面や天面に設けられると共に、２本の突出部材４６a,４６bの間隔よりもやや大きい直径を有する。すなわち、上記取付部を突出部材４６a,４６bおよび円柱４７で構成するのである。
【００４７】
図８は、開閉構造によるものである。ゴミ受容器２７の後板３３に、先端部に球体の一部の形状を有する突起４８aを有する突出部材４８を設け、外気取り入れ室２６の前壁３６の内面に、挿通孔３６aの一部を弾性体５０の弾性力で開閉する開閉部材４９を設けている。そして、突出部材４８の突起４８aで、弾性体５０の弾性力に抗して、前壁３６の挿通孔３６aと開閉部材４９の挿通孔４９aとで形成される挿通孔を押し広げて突出部材４８を挿通させた後、突出部材４８を開閉部材４９で挟持する。すなわち、上記取付部を突出部材４８,開閉部材４９および弾性体５０で構成するのである。
【００４８】
あるいは、図９に示すような、正規の位置へ位置決めすると共に簡単に着脱可能であって、装着されたゴミ受容器を確実に保持可能な構造であってもよい。
【００４９】
図４に示すようなだぼ４０を用いた取付構造や、図６〜図８に示すような取付構造の場合には、だぼ穴４１やフック孔４５や挿通孔３６aの位置が、ゴミ受容器２７の陰になって見えない。そのために、だぼ４０のだぼ穴４１への圧入等を手探り状態行わなければならず、作業性が悪い。図９に示すゴミ受容器の取付構造は、キャビネット２の底面における幅方向両側に取り付け固定される第１保持部材５１および第２保持部材５２を有している。そして、ゴミ受容器５３を第１,第２保持部材５１,５２によってキャビネット２の底面に対する所定の位置に位置決めした後に、嵌合保持するようにしている。
【００５０】
尚、図９は、第１保持部材５１,第２保持部材５２およびゴミ受容器５３を下側から見た図である。また、ゴミ受容器５３は、平面形状が異なるだけであって上述したゴミ受容器２７と基本構造は同じである。ゴミ受容器５３は、以下のようにして第１,第２保持部材５１,５２によって嵌合保持される。
【００５１】
先ず、図９(a)に示すように、使用者によって、上記ゴミ受容器５３が矢印(Ａ)および矢印(Ｂ)の方向に手探り状態で挿入される。その場合、ゴミ受容器５３が図中右側にずれた場合には、図９(b)に示すように、ゴミ受容器５３の傾斜部５４が第２保持部材５２の下側に位置している突出部５５の角(破線の円Ｄ内参照)で案内されると共に、傾斜部５４の底面が第２保持部材５２の上側に位置している突出部５８で案内されて、ゴミ受容器５３が矢印(Ｃ)の方向に移動する。こうして、図９(c)に示すように、ゴミ受容器５３の図中右側の保持領域５７が、第２保持部材５２の下側の突出部５５,５６と上側の突出部５８,５９との間に挿入される一方、ゴミ受容器５３の図中左側の保持領域６０が、第１保持部材５１の下側に位置している突出部６１,６２と上側に位置している突出部６３,６４との間に挿入される。そして、第１保持部材５１の弾性部材６５に設けられた凸部６６がゴミ受容器５３の凹部６７(図９(b)参照)に係合する一方、第２保持部材５２の弾性部材６８に設けられた凸部６９がゴミ受容器５３の凹部７０(図９(b)参照)に係合して、ゴミ受容器５３が第１,第２保持部材５１,５２によって所定の位置に嵌合保持される。尚、ゴミ受容器５３が図中左側にずれた場合も同様である。
【００５２】
また、上記ゴミ受容器５３を外す場合には、ゴミ受容器５３の手前側を下側に押し下げて、半球状の凸部６６,６９と凹部６７,７０との係合を解除すればよい。すなわち、上記取付部を、第１,第２保持部材５１,５２およびゴミ受容器５３の保持領域５７,６０で構成する。さらに、上記位置決め部を、第１,第２保持部材５１,５２の突出部６１,５５おおびゴミ受容器５３の傾斜部５４で構成するのである。
【００５３】
尚、図９に示すゴミ受容器の取付構造においては、ゴミ受容器５３の位置決め用のガイド機能と保持機能との両方を第１,第２保持部材５１,５２に持たせているが、上記位置決め用のガイド機能と上記保持機能との夫々を異なる部材に持たせてもよい。
【００５４】
また、上記ゴミ受容器５３の前板に設けられた複数の第１開口部から取り込まれた外気は、外気取り入れ室２６の前壁３６に設けられた開口部３７における第１,第２保持部材５１,５２に対向する箇所からは外気取り入れ室２６内に取り込まれない。そこで、外気取り入れ室２６の前壁３６における第１,第２保持部材５１,５２に対向する箇所には、開口部３７を設けないようにしても差し支えない。
【００５５】
また、上記ゴミ受容器の位置決め保持構造は、図９に示すような構造に限定されるものではない。要は、ゴミ受容器５３の上下左右方向の位置決め機能と、位置決めされたゴミ受容器５３の保持機能とを有する構造であれば、差し支えない。
【符号の説明】
【００５６】
１…加熱調理器、
２…キャビネット、
４…扉、
８…制御部、
１０…加熱室、
１１…マグネトロン、
１３…アンテナモータ、
１５…冷却ファン、
１６…外気流入ダクト、
１７…外気流入口、
１８…給気口、
１９…排気口、
２１…給気ファン、
２２…開口部、
２３…排気ダクト、
２４…湿度センサ、
２５…温度センサ、
２６…外気取り入れ室、
２７…ゴミ受容器、
２８…前仕切板、
２９…後仕切板、
３１…第１開口部、
３２…第２開口部、
３４…第３開口部、
３５…第４開口部、
３６…外気取り入れ室の前壁、
３７…開口部、
３８…前フィルタ、
３９…後フィルタ、
４０…だぼ、
４１…だぼ穴、
４３…ゴミ収納室、
４４…フック、
４５…フック孔、
４６a,４６b,４８…突出部材、
４７…円柱、
５０…弾性体、
４９…開閉部材、
５１…第１保持部材、
５２…第２保持部材、
５３…ゴミ受容器。
【図１】
2012215321.tif 000003
【図２】
2012215321.tif 000004
【図３】
2012215321.tif 000005
【図４】
2012215321.tif 000006
【図５】
2012215321.tif 000007
【図６】
2012215321.tif 000008
【図７】
2012215321.tif 000009
【図８】
2012215321.tif 000010
【図９】
2012215321.tif 000011